(57)【要約】【課題】製造時、使用時等に基板及びホルダが熱的な影響を受けた際に、各部品に負荷を生じさせないようにする。【解決手段】販売機本体に取り付けられる自動販売機用照明具１であって、所定方向へ延び複数のＬＥＤ４が長手方向に並設される基板２と、基板２と同方向へ延びて基板２を支持するホルダ３と、各ＬＥＤ４ごとに設けられ発光体ＬＥＤ４を覆うレンズ５と、レンズ５を基板２に対して長手方向及び幅方向について位置決めする係止部６と、ホルダ３に対する長手方向への移動が許容されるようレンズ５を保持するレンズ保持部７と、を備える。【選択図】図１
2007299089.tif 000002
【特許請求の範囲】
【請求項１】
販売機本体に取り付けられる自動販売機用照明具であって、
所定方向へ延び、複数の発光体が一面の長手方向に並設される基板と、
前記基板と同方向へ延びて該基板を他面側から支持し、前記販売機本体に固定されるホルダと、
前記各発光体ごとに設けられ該発光体を覆うレンズと、を備え、
前記基板と前記ホルダとが長手方向へ相対的に移動した際に、前記レンズが前記基板に追従してホルダに対して長手方向へ相対的に移動することを特徴とする自動販売機用照明具。
【請求項２】
販売機本体に取り付けられる自動販売機用照明具であって、
所定方向へ延び、複数の発光体が一面の長手方向に並設される基板と、
前記基板と同方向へ延びて該基板を他面側から支持し、前記販売機本体に固定されるホルダと、
前記各発光体ごとに設けられ該発光体を覆うレンズと、
前記レンズを該基板に対して長手方向及び幅方向について位置決めする係止部と、
前記ホルダに形成され、前記ホルダに対する長手方向への移動が許容されるよう前記レンズを保持するレンズ保持部と、を備えることを特徴とする自動販売機用照明具。
【請求項３】
前記基板は、前記ホルダと前記各レンズにより挟持されることを特徴とする請求項２に記載の自動販売機用照明具。
【請求項４】
前記レンズ保持部は、前記レンズを着脱自在に保持することを特徴とする請求項３に記載の自動販売機用照明具。
【請求項５】
前記レンズ保持部は、
前記レンズにおける前記基板の幅方向外側にて、該基板の裏面側から該基板の表面よりも突出する一対の突出部と、
前記各突出部の突出端から前記基板の幅方向内側へ延び、前記レンズにおける該基板と反対側と当接する爪部と、を有することを特徴とする請求項４に記載の自動販売機用照明具。
【請求項６】
前記ホルダは、光を透過することを特徴とする請求項２から５のいずれか一項に記載の自動販売機用照明具。
【請求項７】
前記係止部は、前記基板と前記レンズの一方に形成された凹部と、他方に形成され該凹部に嵌る凸部と、を有することを特徴とする請求項２から６のいずれか一項に記載の自動販売機用照明具。
【請求項８】
前記発光体はＬＥＤであることを特徴とする請求項１から７のいずれか一項に記載の自動販売機用照明具。
【請求項９】
請求項１から８のいずれか一項に記載の自動販売機用照明具と、
前記自動販売機用照明具が取り付けられ前記ホルダと略平行な側壁を有する販売機本体と、を備えたことを特徴とする自動販売機。
【請求項１０】
前記販売機本体の前記側壁の近傍に配され前記基板と接続されるハーネスを備え、
前記自動販売機用照明具の前記ホルダにハーネス保持部を設けたことを特徴とする請求項９に記載の自動販売機。
【請求項１１】
前記ホルダに、前記販売機本体の側壁表面を滴下する水の前記基板への浸入を阻止する防水部を形成したことを特徴とする請求項９または１０に記載の自動販売機。
【請求項１２】
前記防水部は、前記ホルダの前記販売機本体側に突出形成され前記側壁と当接する略水平の突条部を含むことを特徴とする請求項１１に記載の自動販売機。
【発明の詳細な説明】
【技術分野】
【０００１】
本発明は、基板の長手方向に複数の発光体が並設され、発光体がそれぞれレンズにより覆われる自動販売機用照明具及びこれを備えた自動販売機に関する。
【背景技術】
【０００２】
自動販売機における照明具としては、蛍光灯を用いたものが一般的である（例えば、特許文献１参照）。特許文献１に記載の自動販売機では、電照板の裏側に水平方向へ延びる蛍光灯が配されるとともに、蛍光灯の背後に反射板が設けられる。これにより、蛍光灯から電照板へ向かって放射される光に加え、反射板により反射した光によっても電照板が照射されるようになっている。
【０００３】
また、自動販売機用の照明具として、ＬＥＤを用いることが本願出願人によって提案されている（例えば、特許文献２参照）。特許文献２に記載の自動販売機では、サンプル商品ごとにＬＥＤを設置して、商品サンプルを個別に照射するよう構成されている。ＬＥＤは蛍光灯に比べて消費電力が小さいことに加えて寿命が長く、自動販売機の省エネルギー化及びメンテナンス性の向上が図られている。
【特許文献１】特開２００３−２２３８０５号公報
【特許文献２】特開２００３−２２８７５６号公報
【発明の開示】
【発明が解決しようとする課題】
【０００４】
ところで、ＬＥＤを用いた照明具では蛍光灯に比して放射する光が拡散し難いことから、特許文献２に記載のように商品サンプルごとに発光体（ＬＥＤ）を設ける必要がある。すなわち、基板を長尺とし、ＬＥＤを基板上に複数設けたとしても、特許文献１に記載のもののように電照板等を全体的に発光させるには不向きである。
【０００５】
この問題点を解消するため各ＬＥＤの放射側にレンズを設けて光を拡散させることが考えられる。この場合は、長尺な基板を支持するとともに各レンズを保持する長尺なホルダを設ける構成が、部品点数、製造要件等の観点から好ましい。しかしながら、基板及びホルダが長尺であり、これらに製造時、使用時等に熱的な負荷が加わると、基板とホルダとで線膨張係数が異なることから各部材間で長手方向にずれを生じる。
【０００６】
このときに、レンズは基板及びホルダの両方に追従しようとするので、レンズ、基板及びホルダの間にそれぞれ応力が生じ、基板、ホルダ等が変形するおそれがある。また、レンズが基板上のＬＥＤに対して相対的に移動して、ＬＥＤから照射される光を的確に屈折させることができなくなるおそれもある。
【０００７】
本発明は、前記事情に鑑みてなされたものであり、その目的とするところは、製造時、使用時等に基板及びホルダが熱的な影響を受けた際に、各部品に生じる負荷を低減させることのできる自動販売機用照明具及びこれを備えた自動販売機を提供することにある。
【課題を解決するための手段】
【０００８】
前記目的を達成するため、本発明では、
販売機本体に取り付けられる自動販売機用照明具であって、
所定方向へ延び、複数の発光体が一面の長手方向に並設される基板と、
前記基板と同方向へ延びて該基板を他面側から支持し、前記販売機本体に固定されるホルダと、
前記各発光体ごとに設けられ該発光体を覆うレンズと、
前記レンズを該基板に対して長手方向及び幅方向について位置決めする係止部と、
前記ホルダに形成され、前記ホルダに対する長手方向への移動が許容されるよう前記レンズを保持するレンズ保持部と、を備えることを特徴とする自動販売機用照明具が提供される。
【０００９】
本発明の自動販売機用照明具によれば、各レンズは係止部により基板に対して長手方向及び幅方向について位置決めされるので、基板上の発光体に対してレンズが長手方向または幅方向にずれるようなことはなく、レンズにより各発光体から放射される光を的確に屈折させることができる。
【００１０】
ここで、基板及びホルダは、別部材であることから線膨張係数が異なり、製造時にける成形後の収縮、使用時における温度等によって長手方向寸法に差が生じる。そして、各レンズは係止部により基板に位置決めされていることから、基板に追従してホルダに対して長手方向へ相対的に移動する。このとき、ホルダのレンズ保持部において、レンズの長手方向への移動が許容されることから、ホルダとレンズとの間に過大な負荷が加わるようなことはない。
【００１１】
また、前記目的を達成するため、本発明では、
販売機本体に取り付けられる自動販売機用照明具であって、
所定方向へ延び、複数の発光体が一面の長手方向に並設される基板と、
前記基板と同方向へ延びて該基板を他面側から支持し、前記販売機本体に固定されるホルダと、
前記各発光体ごとに設けられ該発光体を覆うレンズと、を備え、
前記基板と前記ホルダとが長手方向へ相対的に移動した際に、前記レンズが前記基板に追従してホルダに対して長手方向へ相対的に移動することを特徴とする自動販売機用照明具が提供される。
【００１２】
さらにまた、前記目的を達成するため、本発明では、
上記自動販売機用照明具と、
前記自動販売機用照明具が取り付けられ前記ホルダと略平行な側壁を有する販売機本体と、を備えたことを特徴とする自動販売機が提供される。
【発明の効果】
【００１３】
本発明によれば、製造時、使用時等に基板及びホルダが熱的な影響を受けた際に、各部品に負荷を生じさせずにレンズを的確に発光体へ追従させることができる。
【発明を実施するための最良の形態】
【００１４】
図１から図７は本発明の一実施形態を示すもので、図１は自動販売機用照明具の正面図、図２は自動販売機用照明具の上面図、図３は自動販売機用照明具の側面図である。
【００１５】
図１に示すように、この自動販売機用照明具１は、板面を前後に向け水平方向へ延びる基板２と、この基板２と同方向（水平方向）へ延びて基板２を背面側から支持するホルダ３と、を備えている。基板２には複数の発光体としてのＬＥＤ４が水平方向へ並んで前面に設けられている。また、自動販売機用照明具１は、各ＬＥＤ４を覆うレンズ５と、基板２に形成されレンズ５を基板２に対して長手方向及び幅方向について位置決めする係止部６と、ホルダ３に形成されホルダ３に対する長手方向への移動が許容されるようレンズ５を保持するレンズ保持部７と、を備えている。
【００１６】
基板２は、正面視にて四角形状に形成される。図１に示すように、基板２の前面には計６つのＬＥＤ４がほぼ等間隔で搭載されている。また、基板２における各ＬＥＤ４の左右には一対の凹部８が形成されている。各凹部８は、正面視にて円形に形成されており、レンズ５の背面に形成される凸部９に嵌るようになっている。すなわち、本実施形態においては、係止部６は、基板２に形成される凹部８と、レンズ５に形成される凸部９とから構成されている。
【００１７】
ホルダ３は透明な樹脂製であり、正面視にて略四角形状に形成される。図２に示すように、ホルダ３の前面にレンズ保持部７が設けられる。図３に示すように、レンズ保持部７は、レンズ５における基板２の幅方向（上下方向）外側にて、基板２の裏面（背面）側から基板２の表面（前面）よりも突出する一対の突出部１０と、各突出部１０の突出端から基板２の幅方向内側へ延び、レンズ５における基板２と反対側（前側）と当接する爪部１１と、を有している。
【００１８】
各突出部１０は基板２の幅方向外側にて略前後へ延び、各爪部１１の背面側でレンズ５外縁の被保持部１２が押さえ込まれる。すなわち、基板２は、ホルダ３の前面と各レンズ５の背面により挟持されるようになっている。尚、基板２とホルダ３は、長手方向中央の１点でビス２０により互いに固定されている。各突出部１０は左右に延在して平坦に形成され、基板２の外周縁と当接する。また、各爪部１１は、前面が幅方向内側へ向かって後方へ傾斜するよう形成されている。また、ホルダ３の外縁は、各突出部１０の基端部近傍において、他部よりも幅方向外側へ膨らむよう形成される。
【００１９】
図４は自動販売機の一部側面断面図である。図４に示すように、この自動販売機１００は、自動販売機用照明具１と、自動販売機用照明具１が取り付けられホルダ３と略平行な側壁１０１を有する販売機本体１０２と、を備えている。販売機本体１０２は、側壁１０１が形成される板金１０３と、この板金１０３の内側に配される断熱材１０４と、を有する。すなわち、この自動販売機１００は、図示しない加熱・冷却機構を有しており、販売機本体１０２内にて加熱または冷却された商品を保温するようになっている。
【００２０】
販売機本体１０２と対向して電照板１０５が配され、この電照板１０５に商品サンプルＳが取り付けられている。商品サンプルＳは、透明窓１０６を通じて外部から視認可能となっている。自動販売機用照明具１は、販売機本体１０２と電照板１０５の間のスペースに配されており、電照板１０５へ向けて全体的に光を照射する。
【００２１】
図４に示すように、販売機本体１０２の側壁１０１にはホルダ３を固定するためのブラケット部１０７が形成される。本実施形態においては、ブラケット部１０７は、板金１０３を前方へ切り起こして形成され、側壁１０１から斜め下方へ向かって延びる。そして、このブラケット部１０７に対応して、ホルダ３の左右中央側には上方へ突出する固定板部１６が形成される。固定板部１６には、固定孔１７が形成されており、ブラケット部１０７に対してビス等により固定される。
【００２２】
また、販売機本体１０２の側壁１０１の近傍には、基板２と接続されるハーネス１０８が備えられる。ホルダ３の左右端部にはハーネス１０８を保持するためのハーネス保持部１３が形成される。ハーネス保持部１３は上下に延びるよう形成され、上下端部が後方へ向かって湾曲し、湾曲部分にハーネス１０８が収容される。
【００２３】
また、ホルダ３には、販売機本体１０２の側壁１０１の表面を滴下する水の基板２への浸入を阻止する防水部１４が形成される。本実施形態においては、防水部１４は、ホルダ３の販売機本体１０２側（背面側）に突出形成され側壁１０１と当接する略水平の突条部１５を含んでいる。
【００２４】
図５は、照明具及びハーネスの配置状態を示す自動販売機の模式図である。
図５に示すように、自動販売機用照明具１は、左右２列、上下３列の計６つで１組の照明ユニット１１０をなしている。本実施形態においては、この照明ユニット１１０が上下３段に設置され、自動販売機１００の電照板１０５を全体的に発光させる。各自動販売機用照明具１の基板２には２つのハーネス１０８が接続され、各ＬＥＤ４に電力が供給される。本実施形態においては、各照明ユニット１１０ごとに各自動販売機用照明具１がハーネス１０８により電気的に直列に接続されている。具体的には、図５に示すように、各照明ユニット１１０ごとに、左上の照明具１、右上の照明具１、左中央の照明具１、右中央の照明具１、左下の照明具１、右下の照明具１の順に接続される。これにより、各照明ユニット１１０にて各自動販売機用照明具１は同時に点灯及び消灯をすることとなる。
【００２５】
図１に示すように、基板２の前面にはハーネス１０８用のコネクタ２１が設けられ、基板２の背面にコネクタ２１のピン（図示せず）が突出している。そして、ホルダ３にはコネクタ２１のピンとの干渉を避けるべく逃げ穴１８が形成されている。本実施形態においては、長手方向端部のＬＥＤ４とこれに隣接するＬＥＤ４の間に、左右一対となるよう逃げ穴１８が形成される。
【００２６】
各ＬＥＤ４は、前方へ向かって白色光を放射する。各レンズ５は、略円柱状に形成され、正面視にて各ＬＥＤ４の発光部を中心とした円形を呈する。各レンズ５の背面には、前述の凸部９が形成されるとともに、径方向中心側にＬＥＤ４を受容するよう凹んだ受容部１９が形成される。
【００２７】
図３に示すように、各レンズ５の前面は後方から入射するすべての光線を全反射する条件となるよう形状が決定され、この結果、レンズ５は朝顔状の形状となっている。尚、レンズ５の形状は朝顔状に限定されるものではなく、前面形状を、簡易的に、あるいは等価的に、前面の断面形状を２次曲線、特に、放物線あるいは双曲線の一部としてもよい。これにより、各ＬＥＤ４から前方へ向かって照射された光は、各レンズ５へ進入した後、前面にて側方へ反射する。
【００２８】
また、各レンズ５の外周面には、ホルダ３のレンズ保持部７により保持される上下一対の被保持部１２が径方向へ突出して形成される。各被保持部１２の背面はレンズ５の背面と略面一であり、各被保持部１２の前面は爪部１１の背面と面接触をする。図１に示すように、被保持部１２は正面視でレンズ５側がレンズ５に沿うよう形成された略四角形状を呈する。各被保持部１２は、突出部１０よりも左右方向へ長尺に形成され、径方向外側端部にて突出部１０の側面と当接する。
【００２９】
この自動販売機用照明具１の組立手順について図３、図６及び図７を参照して説明する。図６及び図７は、組立時における照明具の動作を示す動作説明図である。
【００３０】
まず、図６に示すように、ホルダ３の一面（前面）にＬＥＤ４が実装された基板２を載置する。この状態で、各レンズ５を、正面視にて凹部８と凸部９の位置を合わせながら、図６中の矢印に示すように基板２に接近させていく。やがて、各レンズ５の各被保持部１２が各爪部１１の前面と当接する。
【００３１】
この後、さらに各レンズ５を基板２側へ押し込むと、各爪部１１の前面が傾斜していることから、図７に示すように、各被保持部１２が各爪部１１の前面と摺接しながら各突出部１０を幅方向外側へ押し拡げる。このように、各突出部１０が弾性変形することにより各爪部１１がレンズ５の進路上から退去し、レンズ５が基板２と当接する。このとき、各被保持部１２が各爪部１１の背面側に到達し、各被保持部１２と各爪部１１との摺接が解除されていることから、図３に示すように、押し拡げられていた各突出部１０が元の位置に復帰する。この状態で、各爪部１１の背面と各被保持部１２の前面が面接触をする。
【００３２】
また、この自動販売機用照明具１を分解するにあたっては、各突出部１０に工具、指等により幅方向外側へ力を加え、各爪部１１をレンズ５の進路上から退去させる。そして、レンズ５を基板２から離隔させた後、基板２をホルダ３から分離する。
【００３３】
以上のように構成された自動販売機用照明具１では、各レンズ５は係止部６により基板２に対して長手方向及び幅方向について位置決めされるので、基板２上のＬＥＤ４に対してレンズ５が長手方向または幅方向にずれるようなことはなく、レンズ５により各ＬＥＤ４から放射される光を的確に屈折させることができる。これにより、各ＬＥＤ４が発光すると各レンズ５により光が拡散され、電照板１０５全体に略均一に光が照射される。
【００３４】
図８は基板に対してホルダが熱により収縮または膨張する状態を示した作用説明図であり、（ａ）はホルダが基板に対して収縮した状態を示し、（ｂ）はホルダが基板に対して膨張した状態を示す。基板２及びホルダ３は、別部材であることから線膨張係数が異なり、製造時にける成形後の収縮、使用時における温度等によって長手方向寸法に差が生じる。そして、各レンズ５は、係止部６により基板２に位置決めされていることから、図８（ａ）及び（ｂ）に示すように基板２に追従してホルダ３に対して長手方向へ相対的に移動する。図８には収縮、膨張後のホルダ３の位置を実線で示し、収縮、膨張前のホルダ３の位置を２点鎖線で示している。このとき、ホルダ３のレンズ保持部７において、レンズ５の長手方向への移動が許容されることから、ホルダ３とレンズ５との間に過大な負荷が加わるようなことはない。
【００３５】
このように、本実施形態の自動販売機用照明具１によれば、製造時、使用時等に基板２及びホルダ３が熱的な影響を受けた際に、各部品に負荷を生じさせずに各レンズ５を的確に各ＬＥＤ４へ追従させることができる。従って、各レンズ５は常に係止部６によりＬＥＤ４に対して位置決めされた状態を保ち、ＬＥＤ４による照射機能に支障をきたすことはない。
【００３６】
また、発光体としてＬＥＤ４を用いたことにより電力消費面で有利であるし、ＬＥＤ４を所定方向へ並べたことにより所定方向へ延びる蛍光灯と同様に取り扱うことができる。また、各ＬＥＤ４にレンズ５を設けたことにより、ＬＥＤ４を用いても短距離で光を拡散させることができる。
【００３７】
また、本実施形態の自動販売機用照明具１によれば、基板２がホルダ３と各レンズ５により挟持されることから、ビス等を多用することなく基板２をホルダ３に的確に固定することができる。従って、部品点数を削減することができ、これによっても製造コストを低減することができる。
【００３８】
また、各レンズ５を基板２側へ移動させるワンアクションで、基板２がホルダ３に対して固定されるとともに各レンズ５がレンズ保持部７に保持されるようにしたので、照明具１の組立工程の工数を飛躍的に低減することができる。また、各レンズ５を着脱自在としたことにより、各ＬＥＤ４の交換等に支障をきたすようなこともなく、メンテナンス性に優れたものとなっている。
【００３９】
さらに、ホルダ３を透明な部材で形成し、ホルダ３が光を透過するようにしたので、各レンズ５から出射される光の電照板１０５側へ進入がホルダ３のホルダ保持部７等により阻害されるようなことはなく、電照板１０５を効率よく照射することができる。
【００４０】
また、本実施形態の自動販売機１００によれば、光拡散に有利な自動販売機用照明具１を利用することにより、電照板１０５と販売機本体１０２の間隙を小さくすることができるので小型化を図ることができ、実用に際して極めて有利である。
【００４１】
また、ホルダ３にハーネス１０８を保持させるようにしたので、販売機本体１０２にハーネス１０８を保持する部材を別途設ける必要がない。さらに、販売機本体１０２が断熱機能を有することから、側壁１０１に水滴が形成されやすいところ、防水部１４により水滴の基板２への浸入を阻止されるので、販売機本体１０２に防水用の部材や形状を設ける必要がなく極めて便利である。
【００４２】
尚、前記実施形態においては、基板２及びホルダ３が左右方向へ延び、各ＬＥＤ４が左右方向へ並べられるものを示したが、例えば、基板２及びホルダ３が上下方向へ延び、各ＬＥＤ４が上下方向へ並べられるものであってもよく、要は基板２及びホルダ３が所定方向へ延びるものであればよい。また、発光体としてＬＥＤ４を設けたものを示したが、発光体は例えばレーザー機器、電球等であってもよい。
【００４３】
また、前記実施形態においては、自動販売機１００の販売機本体１０２が断熱性能を有するものを示したが、たばこ等のように加温・冷却機能が不要な商品を取り扱うような、断熱性能が付与されていない販売機本体１０２であってもよいことは勿論である。
【００４４】
また、前記実施形態においては、計６つの自動販売機用照明具１を、左上、右上、左中央、右中央、左下、右下の順にハーネス１０８で接続したものを示したが、自動販売機用照明具１の数や接続の順番は任意であることはいうまでもない。
【００４５】
また、前記実施形態においては、レンズ５の前面が朝顔形状に形成されたものを示したが、レンズ５の形状等は電照板１０５との距離、光の拡散度合い等により適宜に変更可能である。
【００４６】
また、前記実施形態においては、係止部６として基板２に形成された凹部８とレンズ５に形成された凸部９を有するものを示したが、凹部がレンズ５に形成され凸部が基板２に形成されていてもよい。また、前記実施形態においては、円形の凹部８及び凸部９が１つのレンズ５に対して２つ形成され、凹部８及び凸部９の形状、個数は任意である。さらに、係止部６として、凹部８と凸部９の組み合わせ以外に、例えば、レンズ５全体を受容するよう基板２に形成された凹み等を用いてもよい。
【００４７】
また、前記実施形態においては、防水部１４が突条部１５を含むものを示したが、例えば、防水部１４はホルダ３に形成され水滴を案内する孔を含むようにしてもよい。この場合、孔により基板２側と反対側へ水滴を流出するようにすればよい。
【００４８】
また、前記実施形態においては、レンズ保持部７が突出部１０と爪部１１からなるものを示したが、ホルダ３に対する長手方向への移動が許容されるようレンズ５を保持するようにすればレンズ保持部７の構成も任意であるし、その他、具体的な細部構造等についても適宜に変更可能であることは勿論である。
【図面の簡単な説明】
【００４９】
【図１】本発明の一実施形態を示す自動販売機用照明具の正面図である。
【図２】自動販売機用照明具の上面図である。
【図３】自動販売機用照明具の側面図である。
【図４】自動販売機の一部側面断面図である。
【図５】照明具及びハーネスの配置状態を示す自動販売機の模式図である。
【図６】組立時における照明具の動作を示す動作説明図である。
【図７】組立時における照明具の動作を示す動作説明図である。
【図８】基板に対してホルダが熱により収縮または膨張する状態を示した作用説明図であり、（ａ）はホルダが基板に対して収縮した状態を示し、（ｂ）はホルダが基板に対して膨張した状態を示す。
【符号の説明】
【００５０】
１          自動販売機用照明具
２          基板
３          ホルダ
４          ＬＥＤ
５          レンズ
６          係止部
７          レンズ保持部
８          凹部
９          凸部
１０        突出部
１１        爪部
１２        被保持部
１３        ハーネス保持部
１４        防水部
１５        突条部
１６        固定板部
１７        固定孔
１８        逃げ穴
１９        受容部
２０        ビス
２１        コネクタ
１００      自動販売機
１０１      側壁
１０２      販売機本体
１０３      板金
１０４      断熱材
１０５      電照板
１０６      透明窓
１０７      ブラケット部
１０８      ハーネス
１１０      照明ユニット
Ｓ          商品サンプル
【図１】
2007299089.tif 000003
【図２】
2007299089.tif 000004
【図３】
2007299089.tif 000005
【図４】
2007299089.tif 000006
【図５】
2007299089.tif 000007
【図６】
2007299089.tif 000008
【図７】
2007299089.tif 000009
【図８】
2007299089.tif 000010